(57)【特許請求の範囲】
【請求項１】
空気吸引手段と、該空気吸引手段にて吸引した空気を吹出口まで導くダクトと、該ダクト内に設けられダクト内を通過する空気を加熱する加熱手段とを内蔵し、
前記ダクトが、それぞれ金型で一体に成形された合成樹脂からなる上ダクトと下ダクトとが接合されてなる人体局部洗浄装置において、
前記上ダクトは、前記吹出口のダクト側面方向両側に突起を設け、該各々の突起のダクト側面と同方向の側面の一方にＵ字形溝を、他方の側面に逆Ｕ字形溝を設け、前記Ｕ字形溝と逆Ｕ字形溝の開放部分の重なる部分が突起を貫通する孔となるように成形され、該孔に挿入される軸を有した蓋体を前記吹出口に設けたことを特徴とする人体局部洗浄装置。
【請求項２】
Ｕ字形溝を対向する突起の内側の側面に設け、逆Ｕ字形溝を外側の側面に設けたことを特徴とする請求項１に記載の人体局部洗浄装置。
【請求項３】
蓋体が所定角度以上に開口しないように、吹出口の直上であり、且つ、近接した位置に上ケースを設置することを特徴とする請求項１または２に記載の人体局部洗浄装置。
【発明の詳細な説明】
【０００１】
【発明の属する技術分野】
本発明は、人体局部を温水にて洗浄する人体局部洗浄装置、特にその洗浄後に局部を乾燥させる乾燥装置に関する。
【０００２】
【従来の技術】
従来の人体局部洗浄装置は、図６に示すように、下ケース１１に局部洗浄手段９及び温風乾燥手段２等を搭載し、上ケース１０にて覆う構造となっている。前記温風乾燥手段２は、図７に示すように、空気を吸引するファン等の空気吸引手段５と、吸引した空気を吹出口３まで導くダクト８と、該ダクト８内に設けられ空気を加温するニクロム線ヒータ、面状発熱体等の加熱手段６と、前記吹出口３からダクト８内に汚水が侵入するのを阻止する蓋体４とからなり、該蓋体４は、図８に示すように、吹出口３の全面をほぼ塞ぐ面積を有する略板形状の板状部４ｂと、ダクト８に軸支する為の一対の軸４ａ、４ａとから形成されている。
【０００３】
人体局部洗浄装置１（図６参照）の使用者が、用便を終えて局部洗浄を終了させた後に、局部乾燥を行うため温風乾燥手段２（図６参照）を作動させると、図７に示す空気吸引手段５であるファンが回転してダクト８内に空気を導入し、該導入した空気を加熱手段６であるニクロム線ヒータにより加温して吹出口３より人体局部に向けて送風する。蓋体４は、送風時に軸４ａを中心に反時計回りに回転して実線位置の場所まで移動し、送風が停止されると自重により点線位置まで移動して、ダクト８内に汚水等が侵入しないように蓋をする。
【０００４】
ダクト８（図６参照）について、更に詳細に述べると、ダクト８は、図９に示されるように、合成樹脂にて成形された上ダクト８ａ及び下ダクト８ｂを接続固定して製造されることが一般的であり、これは、内部に加熱手段６を組込み易くすると共に、温風乾燥手段２（図６参照）を下ケース１１（図６参照）に固定するための固定用孔１４、１４を形成する為に行われている。
【０００５】
プレス成形にて製品を製造する場合、アンダーカット（単なる上型及び下型だけでは成形できない部分）となる箇所を避けることにより、スライド機構（駒、アンギュラピン）等を使用しなくても済むように設計を行う。図９に示す下ダクト８ｂは、固定用孔１４、１４が上下方向に開放されているため、上下方向の上型及び下型を用いることにより、前記固定用孔１４はアンダーカットとはならない。
【０００６】
【発明が解決しようとする課題】
しかしながら、図９に示す上ダクト８ａは、上下方向の上型及び下型を用いると、軸受け用孔７がアンダーカットとなってしまう。図８に示すように、前記軸受け用孔７、７は、蓋体４の軸４ａ、４ａを挿入する部分であり、蓋体４を自然落下させる為には必然的に水平方向に開口する孔となる。従って、軸受け用孔７、７は、成形型の開口方向（上下方向）に対して垂直方向となり、図１０に示すように、上型及び下型以外に軸受け用孔７、７を形成するスライド駒と、該スライド駒を固定するアンギュラピンを用いなければ一体に成形することができないとの課題を有している。
【０００７】
本発明は、前述した課題に鑑みてなされたものであり、スライド駒及びアンギュラピン等のスライド機構を使用する必要のない成形型で一体に製作可能な、上ダクト８ａを有した人体局部洗浄装置を提供することを目的とする。
【０００８】
【課題を解決するための手段】
上記目的を達成するために、本発明は以下の手段を採用している。
人体局部洗浄装置に係る解決手段として、空気吸引手段と、該空気吸引手段にて吸引した空気を吹出口まで導くダクトと、該ダクト内に設けられダクト内を通過する空気を加熱する加熱手段とを内蔵し、前記ダクトが、それぞれ金型で一体に成形された合成樹脂からなる上ダクトと下ダクトとが接合されてなる人体局部洗浄装置において、前記上ダクトは、前記吹出口のダクト側面方向両側に突起を設け、該各々の突起のダクト側面と同方向の側面の一方にＵ字形溝を、他方の側面に逆Ｕ字形溝を設け、前記Ｕ字形溝と逆Ｕ字形溝の開放部分の重なる部分が突起を貫通する孔となるように成形され、該孔に挿入される軸を有した蓋体を前記吹出口に設けた、という手段を採用する。
【０００９】
また、人体局部洗浄装置に係る解決手段として、Ｕ字形溝を対向する突起の内側の側面に設け、逆Ｕ字形溝を外側の側面に設けた、という手段を採用する。
【００１０】
また、人体局部洗浄装置に係る解決手段として、蓋体が所定角度以上に開口しないように、吹出口の直上であり、且つ、近接した位置に上ケースを設置する、という手段を採用する。
【００１１】
【発明の実施の形態】
本発明の空気吸引手段５（図２参照）は、空気を吸引可能なものであれば特に限定されるものではなく、適宜空気を吸引する手段を選択することができる。具体的には、シロッコファン又は軸流ファン等を好適に用いることができる。
【００１２】
本発明の加熱手段６は、図２に示すように、ダクト８の内部に設置されるものであり、空気吸引手段５にて吸引した空気を加熱するのに用いられる。具体的な加熱手段６としては、従来の技術でも述べたニクロム線ヒータ又は面状発熱体等を好適に使用できる。
【００１３】
本発明のダクト８は、その両端部に開口を有する筒体であり、開口の一端側には、図２に示す空気吸引手段５が設置され、他端側には、後述する蓋体４が設置される。また、蓋体４を設置する側の開口は、吹出口３として使用され、該吹出口３のダクト８側面方向両側の上部に、図１に示す、突起１７、１７を設けている。突起１７、１７のダクト８側面と同方向の側面には、一方の側面にＵ字形溝１２を設けてあり、他方の側面に逆Ｕ字形溝１３を設けてある。前記Ｕ字形溝１２及び逆Ｕ字形溝１３は、溝部分底面にて互いに接しており、該接した部分が突起１７、１７を貫通する孔１８を形成する。
【００１４】
Ｕ字形溝１２又は逆Ｕ字形溝１３を、どの側面に設けるかの選択は、適宜行うことが可能であるが、Ｕ字形溝１２を対向する突起１７、１７の内側側面に、逆Ｕ字形溝１３を外側の側面に設けることが好ましい。これは、逆Ｕ字形溝１３を突起１７、１７の内側の側面に設けた場合に、下向きとなっているＵ字の端部（図３参照）に蓋体４が接して、蓋体４のスムーズな開口を妨げることがない為である。更に、Ｕ字形溝１２を対向する突起１７、１７の内側側面に、逆Ｕ字形溝１３を外側の側面に設けると、蓋体４の開口に対してはスムーズに行えるものの、閉口に関しては、蓋体４がＵ字の端部（図３参照）に接して、開口したままの状態となることがあるため、蓋体４が過剰に開口することがないように、ストッパー効果を持たせることが好ましく、具体的には、蓋体４が所定角度以上に開口しないよう、図２に示すように、蓋体４の直上であり、且つ、近接した位置に上ケース１０を配置することが好ましい。尚、ここで言う所定角度とは、前述したＵ字の端部（図３参照）に蓋体４が接することがない角度を示している。
【００１５】
Ｕ字形溝１２及び逆Ｕ字形溝１３の形状は、略Ｕ字となっていれば良く、例えばＬ字、コ字等と組み合わせても良い。即ち、互いに逆向きに接する溝を設けることにより、図５に示すように、金型（上型及び下型）にアンダーカットとなる部分を作らないことが重要となる。詳細に述べると、上型にＵ字形溝１２を形成する為のＵ字形突起を設け、下型に逆Ｕ字形溝１３を形成する逆Ｕ字形突起を設け、上型と下型とを閉じた際に、前記Ｕ字形突起と逆Ｕ字形突起とを接するようにすることで、Ｕ字の溝となる部分には、樹脂が侵入することがなく、結果としてスライド機構を設けることなく、孔１８を成形することができる。
【００１６】
【実施例】
以下図面を用いて、本発明の実施例を説明する。図１は、本発明の要部である吹出口３の拡大斜視図であり、上ダクト８ａには、対向する突起１７、１７を設け、該突起１７、１７の内側側面にＵ字形溝１２、１２を、外側側面に逆Ｕ字形溝１３、１３を設けた。突起１７、１７を貫通する孔１８、１８は、図３に示すように、隅丸四角の形状で成形してあり、Ｕ字形溝１２及び逆Ｕ字形溝１３の角部は、金型の耐久性を考慮して丸みを持たせている。孔１８に挿入する軸４ａ（図１参照）の直径は、孔１８の内接円直径よりも短くしてあり、クリアランスを取ることによって、蓋体４（図１参照）が滑らかに回動するようにしている。
【００１７】
図１に示す突起１７、１７の孔１８、１８方向厚みは、軸４ａの長さよりも短くしており、これによって蓋体４の脱落を防止している。更に、Ｕ字形溝１２及び逆Ｕ字形溝１３の溝深さは、均等にして、応力が集中しないようにしてある。蓋体４の設置は、蓋体４を両側から押すことにより撓ませ、軸４ａ、４ａを孔１８、１８に挿入することによりなされる。
【００１８】
図４は、本発明の別の実施例を示す、吹出口３の側面図であり、本実施例の場合には、Ｕ字形溝の変形であるＬ字形溝１５を用いている。Ｌ字の場合であっても、Ｕ字の場合と同様に、アンダーカット部分を発生させることなく、孔１８を成形することは可能であり、その他は、前述したＵ字形溝１２（図１参照）と同様に軸４ａ（図１参照）を孔１８に挿入する。
【００１９】
【発明の効果】
本発明は、以上説明したように、蓋体を設置する孔を、連接するＵ字形溝及び逆Ｕ字形溝により成形する為に、成形金型にアンダーカット部分がなくなり、高価なスライド機構を使用することなく、安価に人体局部洗浄装置を製作することができる。
【００２０】
また、Ｕ字形溝及び逆Ｕ字形溝の配置を、Ｕ字形溝が対向する突起の内側とすると、蓋体がＵ字形溝の端部に当接し、開口を妨げられることがない。更に、蓋体が所定角度以上に開口しないよにすることによって、一旦、温風を送風可能なように開口した蓋体が、元の場所に下がらずにダクト８内に汚水等が侵入することもない。
【図面の簡単な説明】
【図１】本発明の要部である吹出口の拡大斜視図。
【図２】本発明の人体局部洗浄装置の縦方向断面図。
【図３】本発明の要部である吹出口の拡大側面図。
【図４】本発明の要部である別の吹出口の拡大側面図。
【図５】本発明に用いる上ダクトの成形工程を示す金型断面図。
【図６】従来例を示す人体局部洗浄装置の一部透視平面図。
【図７】従来例を示す温風乾燥手段の側面図。
【図８】従来例を示す吹出口の斜視図。
【図９】従来例を示すダクトの分解図。
【図１０】従来例に用いる上ダクトの成形工程を示す金型断面図。
【符号の説明】
１．人体局部洗浄装置  ２．温風乾燥手段  ３．吹出口  ４．蓋体  ４ａ．軸  ４ｂ．板状部  ５．空気吸引手段  ６．加熱手段  ７．軸受け用孔  ８．ダクト８ａ．上ダクト  ８ｂ．下ダクト  ９．局部洗浄手段  １０．上ケース  １１．下ケース  １２．Ｕ字形溝  １３．逆Ｕ字形溝  １４．固定用孔  １５．Ｌ字形溝  １６．逆Ｌ字形溝  １７．突起  １８．孔
【図１】
0004223095.tif 000002
【図２】
0004223095.tif 000003
【図３】
0004223095.tif 000004
【図４】
0004223095.tif 000005
【図５】
0004223095.tif 000006
【図６】
0004223095.tif 000007
【図７】
0004223095.tif 000008
【図８】
0004223095.tif 000009
【図９】
0004223095.tif 000010
【図１０】
0004223095.tif 000011